(57)【特許請求の範囲】
【請求項１】
前端部に複数の導電パッドが形成された子基板の該前端部が差し込まれる差込開口に所定の差込方向から前記前端部を差し込み、該差込開口に差し込まれた該前端部を中心にして該子基板を、該子基板の厚さ方向のうちの一方の方向に回動させることにより、該子基板を母基板に接続するエッジコネクタにおいて、
前記差込開口が並列に複数形成されたベース部、及び、ベース部の、前記差込開口の長手方向両端側の部分から該差込開口の前方側に突出する、互いに所定距離離れた一対のアーム部を有するコ字状のハウジングと、
前記差込開口に差し込まれて前記一方の方向に回動された前記子基板の両側端部を係止する、複数の前記差込開口に対応して前記アーム部に取り付けられた係止部材と、
前記複数の導電パッドに接触する、前記差込開口それぞれに配列された複数の端子とを備え、
前記複数の係止部材が、
複数の前記差込開口のうち前記一方の方向の下流側の差込開口に差し込まれた子基板を係止している係止部材の係止を解除することにより、前記下流側の差込開口よりも前記一方の方向の上流側の差込開口に差し込まれた子基板を係止している係止部材の係止が解除されるものであることを特徴とするエッジコネクタ。
【請求項２】
前記複数の端子が、母基板に固定されるタイン部を備えると共に、前記複数の端子が、複数の前記差込開口のうち前記一方の方向の最下流側に位置する第１差込開口に配列された第１端子群と、複数の前記差込開口のうち前記第１差込開口以外の差込開口に配列された第２端子群とからなるものであり、
前記第１端子群の各タイン部が前記第１差込開口の前方側に位置し、前記第２端子群の各タイン部が、前記ベース部を挟んだ前記第１端子群のタイン部とは反対側に位置し、かつ、
前記第１端子群の各端子が、前記第１差込開口の前方から該第１差込開口に挿入されたものであり、前記第２端子群の各端子が、前記差込開口の後方から該差込開口に挿入されたものであって、さらに、
前記第１端子群の各端子が、前記第１差込開口の前方から後方に向かって延びる第１接触部と、該第１接触部の先端から前記第２端子群に向かって湾曲して前記差込開口の前方に向かって延びる、中央部が前記第１接触部の側に凸状に湾曲した第２接触部とを有するものであることを特徴とする請求項１記載のエッジコネクタ。
【発明の詳細な説明】
【０００１】
【産業上の利用分野】
本発明は、メモリカード等の子基板を母基板に電気的に接続させるエッジコネクタに関する。
【０００２】
【従来の技術】
メモリカード等の子基板を母基板に電気的に接続させるエッジコネクタが従来から知られている（例えば、実開平４−３８０９３号公報、実開平６−３１０８８号公報、特開平６−１１１８８７号公報参照）。一般に、エッジコネクタは、前端部に複数の導電パッドが形成された子基板の前端部を受け入れるベース部と、子基板の両側端を受け入れるアーム部とを有するコの字状をしており、ベース部には、その長手方向に沿って複数の端子が配列されている。各端子がそれぞれ子基板の導電パッドと接続することにより子基板が母基板に電気的に接続される。
【０００３】
上記した従来のエッジコネクタのうち、特開平６−１１１８８７号公報に開示されているエッジコネクタは、ベース部に形成された細長い差込開口に所定の差込方向から子基板の前端部を差し込み、差込開口に差し込まれた前端部を中心にして子基板をその厚さ方向のうちの一方の方向に回動させることにより、子基板を母基板に接続するものである。
【０００４】
【発明が解決しようとする課題】
このタイプのエッジコネクタに複数の子基板を保持させようとした場合、上記した差込開口をベース部に並列に複数形成しておき、この複数の差込開口それぞれに子基板を差し込んで、上記した厚さ方向のうちの一方の方向（係止方向）に回動させ、係止部材で子基板を係止して、エッジコネクタに複数の子基板を保持させる構造が考えられる。
【０００５】
この構造のエッジコネクタでは、そのエッジコネクタに保持された子基板を取り外すに当たっては、取り外ずそうとする子基板を係止している係止部材を解除して係止方向とは逆方向に子基板を回動し、さらに、上記した差込方向とは逆方向に子基板を引き抜く。従って、複数の差込開口それぞれに差し込まれた子基板のうちのいずれか一つの子基板をエッジコネクタから取り外そうとした場合、取り外そうとする子基板を係止している係止部材を解除すると、その子基板が係止方向とは逆方向に回動し係止方向上流側に位置する子基板に衝突してそれらが破損するおそれがある。
【０００６】
本発明は、上記事情に鑑み、複数の子基板を回動させて母基板に接続でき、さらに、子基板を取り外す際に子基板どうしの衝突を防止できるエッジコネクタを提供することを目的とする。
【０００７】
【課題を解決するための手段】
上記目的を達成するための本発明のエッジコネクタは、前端部に複数の導電パッドが形成された子基板のこの前端部が差し込まれる差込開口に所定の差込方向から上記前端部を差し込み、この差込開口に差し込まれたこの前端部を中心にしてこの子基板を、この子基板の厚さ方向のうちの一方の方向に回動させることにより、この子基板を母基板に接続するエッジコネクタにおいて、
（１）上記差込開口が並列に複数形成されたベース部、及び、ベース部の、上記差込開口の長手方向両端側の部分からこの差込開口の前方側に突出する、互いに所定距離離れた一対のアーム部を有するコ字状のハウジング
（２）上記差込開口に差し込まれて上記一方の方向に回動された上記子基板の両側端部を係止する、複数の上記差込開口に対応して上記アーム部に取り付けられた係止部材
（３）上記複数の導電パッドに接触する、上記差込開口それぞれに配列された複数の端子
を備え、
（４）上記複数の係止部材が、複数の上記差込開口のうち上記一方の方向の下流側の差込開口に差し込まれた子基板を係止している係止部材の係止を解除することにより、上記下流側の差込開口よりも上記一方の方向の上流側の差込開口に差し込まれた子基板を係止している係止部材の係止が解除されるもの
であることを特徴とするものである。
【０００８】
ここで、上記複数の端子が、
（５）母基板に固定されるタイン部を備えると共に、上記複数の端子が、複数の上記差込開口のうち上記一方の方向の最下流側に位置する第１差込開口に配列された第１端子群と、複数の上記差込開口のうち上記第１差込開口以外の差込開口に配列された第２端子群とからなるものであり、
（６）上記第１端子群の各タイン部が上記第１差込開口の前方側に位置し、上記第２端子群の各タイン部が、上記ベース部を挟んだ上記第１端子群のタイン部とは反対側に位置し、かつ、
（７）上記第１端子群の各端子が、上記第１差込開口の前方からこの第１差込開口に挿入されたものであり、上記第２端子群の各端子が、上記差込開口の後方からこの差込開口に挿入されたものであって、さらに、
（８）上記第１端子群の各端子が、上記第１差込開口の前方から後方に向かって延びる第１接触部と、この第１接触部の先端から上記第２端子群に向かって湾曲して上記差込開口の前方に向かって延びる、中央部が上記第１接触部の側に凸状に湾曲した第２接触部とを有するものであることが好ましい。
【０００９】
【作用】
本発明のエッジコネクタによれば、ベース部に並列に複数形成された差込開口それぞれに子基板を差し込んで上記一方の方向に回動させ、各係止部材で各子基板を係止することにより複数の子基板を母基板に接続できる。また、係止部材は上記（４）のような構造になっているので、上記した下流側の子基板の係止を解除すると、その子基板よりも上流側の子基板の係止も解除される。このため、複数の差込開口それぞれに差し込まれた子基板のうちのいずれか一つの子基板をエッジコネクタから取り外す際に、子基板どうしの衝突を防止できる。
【００１０】
ここで、上記複数の端子が、上記（５）から（８）までの構成になっている場合は、（６）の構成によれば第１端子群及び第２端子群双方のタイン部がベース部を挟んで離れているので、エッジコネクタを母基板にバランス良く、かつ、強固に固定できる。また、（７）の構成によれば第１端子群及び第２端子群はそれぞれ、差込開口の前方及び後方から差込開口に挿入するので、同じ側から第１端子群と第２端子群とを差込開口に挿入する場合に比べ、複数の端子を差込開口に高密度に配列できる。さらに、（８）の構成によれば、第１接触部の固定端から、子基板の導電パッドに接触する接点までの距離が近くても接触部のＬ長（全長）が長くなるので、接触部の弾力性が増大する。
【００１１】
【実施例】
以下、本発明のエッジコネクタの一実施例について説明する。
図１はエッジコネクタを示す平面図、図２は図１のエッジコネクタの側面図、図３は図２の部分拡大図、図４は図３の平面図である。また、図５、図６は係止部材を示す斜視図である。図７は図１のＡ−Ａ断面図であり、図８は図７の正面図である。
【００１２】
エッジコネクタ１０は、べース部２０とこのべース部２０の両端から前方に突出する一対のアーム部３０とから構成されるコ字状のハウジング４０、及び、アーム部３０に取り付けられた係止部材５０，６０を備えている。このエッジコネクタ１０は、前端部１２ａ，１４ａに複数の導電パッド（図示せず）が形成された２枚の子基板１２、１４を保持できるようになっている。
【００１３】
ベース部２０には、所定の差込方向Ｂから子基板１２，１４の前端部１２ａ，１４ａが差し込まれる差込開口２２，２４（差込開口２４が本発明にいう第１差込開口の一例である）が並列に形成されている。この差込開口２２，２４には、それぞれ、図７に示すように、導電パッドに接触する複数の端子２６，２７，２８，２９が配列されており、上下２段の端子群を形成している。複数の端子２８が本発明にいう第１の端子群の一例であり、複数の端子２６が本発明にいう第２の端子群の一例である。図７に示すように、端子２６，２８は、それぞれ、母基板（図示せず）に半田付けで固定されるタイン部２６ａ，２８ａを備えている。端子２７，２９もタイン部を備えているが、ここでは、端子２６，２８について説明する。端子２８のタイン部２８ａは、差込開口２２の前方側に位置し、端子２６のタイン部２６ａは、ベース部２０を挟んだタイン部２８ａとは反対側に位置している。従って、各端子２６，２８のタイン部２６ａ，２８ａがベース部２０を挟んで離れているので、エッジコネクタ１０を母基板にバランス良く、かつ、強固に固定できる。また、端子２８は、差込開口２４の前方から差込開口２４に挿入されたものであり、端子２６は、差込開口２２の後方から差込開口２２に挿入されたものである。従って、同じ側から端子２６，２８を差込開口２２，２４に挿入する場合に比べ、各端子２６，２８を差込開口に高密度に配列できる。また、端子２８は、差込開口２４の前方から後方に向かって延びる第１接触部２８ｂと、第１接触部２８ｂの先端２８ｃから端子２６に向かって湾曲して差込開口２４の前方に向かって延びる第２接触部２８ｄを有しており、第２接触部２８ｄの中央部２８ｅは第１接触部２８ｂの側に凸状に湾曲している。このため、第１接触部２８ｂの固定端から、子基板１４の導電パッドに接触する接点までの距離が近くても接触部のＬ長（全長）が長くなるので、接触部の弾力性が増大する。
【００１４】
一対のアーム部３０には、それぞれ、子基板１２，１４の両側端部１２ｂ，１４ｂを係止する係止部材５０，６０が取り付けられている。係止部材５０は差込開口２２に対応して一対のアーム部３０に一つずつ取り付けられており、係止部材６０は差込開口２４に対応して一対のアーム部３０に一つずつ取り付けられている。また、子基板１２，１４の両側端部１２ｂ，１４ｂには切欠（図示せず）が形成されており、一方、アーム部３０にはこの切欠の内部に位置する突起３１が形成されている。このため、子基板１２，１４が不完全に挿入されると、子基板１２，１４の両側端部１２ｂ，１４ｂが突起３１に衝突し、不完全挿入が防止される。
【００１５】
係止部材５０は、図５に詳細に示すように、アーム部３０に固定される固定部５０ａと、固定部５０ａの先端５０ｂからもう一方のアーム部３０に向かって湾曲して差込開口２２の前方に向かって延びる、ばね性を有する可動部５０ｃとを有している。また、固定部５０ａには、アーム部３０に圧入されて食い込むバーブ５０ｇが形成されている。可動部５０ｃには、子基板１２の両側端部１２ｂが当接する傾斜部５０ｄが形成されている。また、可動部５０ｃの先端部には、矢印Ｄ方向に可動部５０ｃを移動するための操作部５０ｅが形成されている。可動部５０ｃの先端部には、後述する係止部材６０の押圧部６０ｆに押圧される被押圧部５０ｆが形成されている。
【００１６】
係止部材６０は、図６に詳細に示すように、アーム部３０に固定される固定部６０ａと、固定部６０ａの先端６０ｂからもう一方のアーム部３０に向かって湾曲して差込開口２４の前方に向かって延びる、ばね性を有する可動部６０ｃとを有している。また、固定部６０ａには、アーム部３０に圧入されて食い込むバーブ６０ｇが形成されている。可動部６０ｃには、子基板１４の両側端部１４ｂが当接する傾斜部６０ｄが形成されている。また、可動部６０ｃの先端部には、矢印Ｄ方向に可動部６０ｃを移動するための操作部６０ｅが形成されている。可動部６０ｃには、係止部材５０の被押圧部５０ｆを押圧する押圧部６０ｆが形成されている。
【００１７】
子基板１２，１４をエッジコネクタ１０に保持させるには、先ず、子基板１４をエッジコネクタ１０に保持させ、その後、子基板１２をエッジコネクタ１０に保持させる。
子基板１４をエッジコネクタ１０に保持するには、子基板１４の前端部１４ａを、図７に示す差込方向Ｂから差込開口２４に差し込み、子基板１４の厚さ方向のうちの一方の回動方向Ｃ（矢印Ｃ方向）に子基板１４を回動し、子基板１４の両側端部１４ｂを傾斜部６０ｄに当接させてこの傾斜部を回動方向Ｃに押圧する。子基板１４には端子２８によって、子基板１４を回動方向Ｃとは逆方向に回動させる力が作用するが、この力に逆って、子基板１４を回動方向Ｃに押圧して可動部６０ｃを、図６に示す矢印Ｄ方向に移動させ、子基板１４を傾斜部６０ｄの下の面に当接して、図７の破線１４’で示す位置で係止部材６０に係止させることにより、エッジコネクタ１０に子基板１４が保持されることになり、子基板１４が母基板に接続される。
【００１８】
同様に、子基板１２をエッジコネクタ１０に保持するには、子基板１２の前端部１２ａを、図７に示す差込方向Ｂから差込開口２２に差し込み、子基板１２の厚さ方向のうちの一方の回動方向Ｃに子基板１２を回動し、子基板１２の両側端部１２ｂを傾斜部５０ｄに当接させてこの傾斜部を回動方向Ｃに押圧する。これにより、可動部５０ｃが、図５に示す矢印Ｄ方向に移動し、子基板１２が傾斜部５０ｄの下の面に当接して、図７の破線１２’で示す位置に係止され、エッジコネクタ１０に子基板１２が保持されることになり、子基板１２が母基板に接続される。
【００１９】
エッジコネクタ１０に保持された子基板１２をエッジコネクタ１０から取り外すには、係止部材５０の操作部５０ｅを矢印Ｄ方向に押圧し、可動部５０ｃを矢印Ｄ方向に移動させる。これにより、係止部材５０による子基板１２の係止が解除され、子基板１２をエッジコネクタ１０から取り外すことができる。
一方、エッジコネクタ１０に保持された子基板１４をエッジコネクタ１０から取り外すために、係止部材６０の操作部６０ｅを矢印Ｄ方向に押圧すると、押圧部６０ｆが矢印Ｄ方向に移動し、この押圧部６０ｆにより被押圧部５０ｆが押圧されて矢印Ｄ方向に移動する。これにより、係止部材５０による子基板１２の係止が解除されるとと共に、係止部材６０による子基板１４の係止も解除され、基板１２，１４共に回動方向Ｃとは逆方向に回動するので、子基板どうしの衝突を防止できる。
【００２０】
上記の実施例では、２枚の子基板を保持するエッジコネクタについて説明したが、差込開口の数を増やして係止部材の数も増やすことにより、３枚以上の子基板を保持できるエッジコネクタが得られる。係止部材を増やすに当たっては、回動方向Ｃの最上流側の係止部材の形状を、図５に示す係止部材５０の形状と同様にし、その他の係止部材の形状を、図６に示す係止部材６０の形状と同様にする。これにより、エッジコネクタに保持された子基板を取り外す際に、子基板どうしが衝突して破損することを防止できる。
【００２１】
【発明の効果】
以上説明したように本発明のエッジコネクタによれば、ベース部に並列に複数形成された差込開口それぞれに子基板を差し込んで上記一方の方向に回動させ、各係止部材で各子基板を係止して複数の子基板を母基板に接続できる。また、子基板の厚さ方向のうちの一方の方向の下流側の子基板の係止を解除すると上流側の子基板の係止も解除され、複数の差込開口それぞれに差し込まれた子基板のうちのいずれか一つの子基板をエッジコネクタから取り外す際に、子基板どうしの衝突を防止できる。
【図面の簡単な説明】
【図１】図１はエッジコネクタを示す平面図である。
【図２】図１のエッジコネクタを示す側面図である。
【図３】図２の部分拡大図である。
【図４】図３の平面図である。
【図５】上段のアーム部に取り付けられる係止部材を示す斜視図である。
【図６】下段のアーム部に取り付けられる係止部材を示す斜視図である。
【図７】図１のＡ−Ａ断面図である。
【図８】エッジコネクタのアーム部を示す正面図である。
【符号の説明】
１０  エッジコネクタ
１２、１４  子基板
１２ａ，１４ａ  前端部
２０  べース部
２２，２４  差込開口
２６，２８  端子
２６ａ，２８ａ  タイン部
２８ｂ  第１接触部
２８ｃ  先端
２８ｄ  第２接触部
２８ｅ  中央部
３０  アーム部
４０  ハウジング
５０，６０  係止部材
【図１】
0003768263.tif 000002
【図２】
0003768263.tif 000003
【図３】
0003768263.tif 000004
【図４】
0003768263.tif 000005
【図５】
0003768263.tif 000006
【図６】
0003768263.tif 000007
【図７】
0003768263.tif 000008
【図８】
0003768263.tif 000009